(57)【要約】【課題】従来の監視カメラシステムは、監視カメラ本体に電気配線を介して外部電源を接続しなければならないので、前記外部電源が近傍に無い場合に電気工事が必要となり、監視カメラ本体の設置が非常に煩雑となる。【解決手段】本発明による監視カメラシステムは、監視カメラ本体１０に太陽電池パネル１４を設け、電源制御手段１５が、前記太陽電池パネル１４で発生した電力を所定電圧となるように調整し、この前記調整後の電力を蓄電池１６に蓄電するとともに、前記蓄電池１６に蓄電された電力を制御手段１３に供給する。【選択図】図１
2009284418.tif 000002
【特許請求の範囲】
【請求項１】
回転駆動台（１１）と、前記回転駆動台（１１）に取り付けられた撮影手段（１２）と、前記回転駆動台（１１）及び前記撮影手段（１２）の動作を制御する制御手段（１３）とを有する監視カメラ本体（１０）により、所定の監視エリアを撮影する監視カメラシステムにおいて、
前記監視カメラ本体（１０）に取り付けられ、受光により発電する太陽電池パネル（１４）と、
前記監視カメラ本体（１０）に設けられ、前記太陽電池パネル（１４）に接続された電源制御手段（１５）と、
前記監視カメラ本体（１０）に設けられ、前記電源制御手段（１５）に接続された蓄電池（１６）と
を備え、
前記電源制御手段（１５）は、前記太陽電池パネル（１４）で発電された電力を所定電圧となるように調整し、この調整後の電力を前記蓄電池（１６）に蓄電するとともに、前記蓄電池（１６）に蓄電された電力を前記制御手段（１３）に供給することを特徴とする監視カメラシステム。
【請求項２】
前記監視カメラ本体（１０）に設けられ、前記制御手段（１３）に接続された第１アンテナ（１７）と、
前記第１アンテナ（１７）との間で無線通信を行う第２アンテナ（６１）と、
前記第２アンテナ（６１）に接続されたコントローラ（３０）と、
前記第２アンテナ（６１）に接続された画像モニタ（４０）と
をさらに備え、
前記コントローラ（３０）は、前記回転駆動台（１１）及び前記撮影手段（１２）の動作を制御するための制御指令（３０ａ）を前記第１及び第２アンテナ（１７，６１）を介して前記制御手段（１３）に入力し、
前記画像モニタ（４０）は、前記第１及び第２アンテナ（１７，６１）を介して前記制御手段（１３）から送信される前記撮影手段（１２）の撮影画像（１２ａ）を表示することを特徴とする請求項１記載の監視カメラシステム。
【発明の詳細な説明】
【技術分野】
【０００１】
本発明は、監視カメラ本体により所定の監視エリアを撮影する監視カメラシステムに関し、特に、監視カメラ本体に太陽電池パネルを設け、電源制御手段が、前記太陽電池パネルで発電された電力を所定電圧となるように調整し、この調整後の電力を蓄電池に蓄電するとともに、前記蓄電池に蓄電された電力を制御手段に供給するように構成することで、電力供給のための電気工事を不要とでき、電力供給が困難な遠隔地にもより容易に適用できるようにするための新規な改良に関するものである。
【背景技術】
【０００２】
社内技術で特に特許出願を行っていないため文献名は挙げていないが、従来用いられていたこの種の監視カメラシステムは、図３のように構成されている。図３は、従来の監視カメラシステムを示すブロック図である。
図において、所定の監視エリアを撮影する監視カメラ本体１０は、回転駆動台１１、撮影手段１２、及び制御手段１３を有している。回転駆動台１１は例えばジンバル機構等により構成されており、図示はしないが撮影手段１２は前記回転駆動台１１に取り付けられている。すなわち、前記撮影手段１２の視軸線は、回転駆動台１１の回転軸に沿って移動可能とされている。制御手段１３は、前記回転駆動台１１の回転駆動を制御するとともに、前記撮影手段１２の撮影動作を制御する。
【０００３】
前記監視カメラ本体１０には、外部電源２０、コントローラ３０、及び画像モニタ４０が接続されている。外部電源２０は例えば商用電源であり、前記制御手段１３は前記外部電源２０から電気配線２０ａを介して供給された電力により前記回転駆動台１１及び前記撮影手段１２の動作制御を行う。コントローラ３０及び画像モニタ４０は有線にて前記監視カメラ本体１０に接続されており、前記コントローラ３０は前記回転駆動台１１及び前記撮影手段１２の動作を制御するための制御指令３０ａを前記制御手段１３に入力し、前記画像モニタ４０は前記撮影手段１２が撮影した撮影画像を表示する。
【発明の開示】
【発明が解決しようとする課題】
【０００４】
上記のような従来の監視カメラシステムでは、監視カメラ本体１０に電気配線２０ａを介して外部電源２０を接続しなければならないので、前記外部電源２０が近傍に無い場合には例えば壁に孔を開けて配線を通す等の電気工事が必要となり、監視カメラ本体の設置が非常に煩雑となる。このため、簡易的又は一時的に監視カメラ本体を設置する用途には、不向きである。
また、商用電源の代わりに発電機を用いることも考えられるが、燃料の量に限りがあり、使用時間が制限されるという問題が生じる。
【０００５】
本発明は、上記のような課題を解決するためになされたものであり、その目的は、電力供給のための電気工事を不要とでき、電力供給が困難な遠隔地にもより容易に適用することができる監視カメラシステムを提供することである。
【課題を解決するための手段】
【０００６】
本発明に係る監視カメラシステムは、回転駆動台と、前記回転駆動台に取り付けられた撮影手段と、前記回転駆動台及び前記撮影手段の動作を制御する制御手段とを有する監視カメラ本体により、所定の監視エリアを撮影する監視カメラシステムにおいて、前記監視カメラ本体に取り付けられ、受光により発電する太陽電池パネルと、前記監視カメラ本体に設けられ、前記太陽電池パネルに接続された電源制御手段と、前記監視カメラ本体に設けられ、前記電源制御手段に接続された蓄電池とを備え、前記電源制御手段は、前記太陽電池パネルで発電された電力を所定電圧となるように調整し、この調整後の電力を前記蓄電池に蓄電するとともに、前記蓄電池に蓄電された電力を前記制御手段に供給する。
また、前記監視カメラ本体に設けられ、前記制御手段に接続された第１アンテナと、前記第１アンテナとの間で無線通信を行う第２アンテナと、前記第２アンテナに接続されたコントローラと、前記第２アンテナに接続された画像モニタとをさらに備え、前記コントローラは、前記回転駆動台及び前記撮影手段の動作を制御するための制御指令を前記第１及び第２アンテナを介して前記制御手段に入力し、前記画像モニタは、前記第１及び第２アンテナを介して前記制御手段から送信される前記撮影手段の撮影画像を表示する。
【発明の効果】
【０００７】
本発明の監視カメラシステムによれば、監視カメラ本体に太陽電池パネルを設け、電源制御手段が、前記太陽電池パネルで発生した電力を所定電圧となるように調整し、この調整後の電力を蓄電池に蓄電するとともに、前記蓄電池に蓄電された電力を制御手段に供給するので、電力供給のための電気工事を不要とでき、電力供給が困難な遠隔地にもより容易に適用できる。従って、簡易的又は一時的に監視カメラ本体を設置する用途に特に有効である。
また、コントローラは、前記回転駆動台及び前記撮影手段の動作を制御するための制御指令を第１及び第２アンテナを介して前記制御手段に入力するとともに、画像モニタは、前記第１及び第２アンテナを介して前記制御手段から送信される前記撮影手段の撮影画像を表示するので、コントローラ及び画像モニタを有線にて監視カメラ本体に接続する必要を無くすことができ、コントローラ及び画像モニタを監視カメラ本体から離れた遠隔地に設置する場合でも配線工事を不要とすることができる。
【発明を実施するための最良の形態】
【０００８】
以下、本発明を実施するための最良の形態について、図面を参照して説明する。
実施の形態１．
図１は本発明の実施の形態１による監視カメラシステムを示すブロック図であり、図２は図１の監視カメラ本体１０を示す正面図である。なお、従来の監視カメラシステムと同一又は同等部分については同一の符号を用いて説明する。
図１において、所定の監視エリアを撮影する監視カメラ本体１０は、回転駆動台１１、撮影手段１２、制御手段１３、太陽電池パネル１４、電源制御手段１５、蓄電池１６、及び第１アンテナ１７を有している。回転駆動台１１は例えばジンバル機構等により構成されており、撮影手段１２は前記回転駆動台１１に取り付けられている。すなわち、前記撮影手段１２の視軸線は、例えばアジマス及びエレベーションの２軸等の回転駆動台１１の回転軸に沿って移動可能とされている。制御手段１３は、前記回転駆動台１１の回転駆動を制御するとともに、前記撮影手段１２の撮影動作を制御する。
【０００９】
太陽電池パネル１４は、前記撮影手段１２の上部に取り付けられており（図２参照）、受光により例えば１．５Ｖ等の電圧の電力を発生する。前記電源制御手段１５は、前記太陽電池パネル１４に接続されており、前記太陽電池パネル１４で発生した電力を、監視カメラ本体１０内の動作に使用できる例えば１２Ｖ等の電圧となるように調整（昇圧）する。
【００１０】
前記電源制御手段１５は、前記調整後の電力を前記蓄電池１６に供給するとともに、前記蓄電池１６に蓄電された電力を前記制御手段１３に供給する。なお、例えば昼間等、前記太陽電池パネル１４が安定して発電するときには、前記電源制御手段１５は、前記調整後の電力を前記制御手段１３に直接供給することもできる。前記制御手段１３は、前記電源制御手段１５から供給された電力により、前記回転駆動台１１及び前記撮影手段１２の動作制御を行う。
これにより、近傍に商用電源等の外部電源が無い場合でも、前記太陽電池パネル１４で発生した電力で動作することができ、壁に孔を開けて電気配線を通す等の電気工事を不要とできる。従って、電力供給が困難な遠隔地にもより容易に適用することができ、簡易的又は一時的に監視カメラ本体１０を設置する用途に特に有効である。また、自然エネルギによる発電であるので、通常の発電機と比べて燃料補給の手間を省くことができ、利便性を良くすることができる。なお、太陽電池パネル１４を使用した例を挙げたが、太陽電池パネル１４の代わりに、又は太陽電池パネルとともに、風力発電機を設けてもよい。
【００１１】
前記第１アンテナ１７は、前記制御手段１３に接続されており、遠隔地６０に設置された第２アンテナ６１との間で無線通信を行う。なお、前記第１アンテナ１７は、前記第２アンテナ６１と直接的に通信することもできるが、例えば無線ＬＡＮ等のネットワークを介して間接的に通信してもよい。
【００１２】
前記遠隔地６０にはコントローラ３０と画像モニタ４０とが設けられており、前記コントローラ３０は、前記回転駆動台１１及び前記撮影手段１２の動作を制御するための制御指令３０ａを前記第１及び第２アンテナ１７，６１を介して前記制御手段１３に入力し、前記画像モニタ４０は、前記第１及び第２アンテナ１７，６１を介して前記制御手段１３から送信される前記撮影手段１２の撮影画像１２ａを表示する。すなわち、前記第１及び第２アンテナ１７，６１が設けられることで、コントローラ３０及び画像モニタ４０を有線にて監視カメラ本体１０に接続する必要を無くすことができ、コントローラ３０及び画像モニタ４０を監視カメラ本体１０から離れた遠隔地６０に設置する場合でも配線工事を不要とすることができる。
【図面の簡単な説明】
【００１３】
【図１】本発明の実施の形態１による監視カメラシステムを示すブロック図である。
【図２】図１の監視カメラ本体を示す正面図である。
【図３】従来の監視カメラシステムを示すブロック図である。
【符号の説明】
【００１４】
１０  監視カメラ本体
１１  回転駆動台
１２  撮影手段
１２ａ  撮影画像
１３  制御手段
１４  太陽電池パネル
１５  電源制御手段
１６  蓄電池
１７，６１  第１及び第２アンテナ
３０  コントローラ
３０ａ  制御指令
４０  画像モニタ
【図１】
2009284418.tif 000003
【図２】
2009284418.tif 000004
【図３】
2009284418.tif 000005